(57)【要約】      （修正有）【課題】ベッド本体部のヘッド側が昇降機構により床面に対して垂直移動するベッド装置において、ヘッドボードの仕様の独立性を高めること。【解決手段】ベッド本体部のヘッド側が昇降機構２０により床面に対して垂直移動するベッド装置において、前記昇降機構の可動部２３の上面部の１点６２並びに前記ベッド本体部のヘッド側の幅方向に離れた２点６４Ａ，Ｂにて支持されるヘッドボード６０を配設したことを特徴とするベッド装置。【選択図】図６
2007111506.tif 000002
【特許請求の範囲】
【請求項１】
ベッド本体部のヘッド側が昇降機構により床面に対して垂直移動するベッド装置において、前記昇降機構の可動部の上面部の１点並びに前記ベッド本体部のヘッド側の幅方向に離れた２点にて支持されるヘッドボードを配設したことを特徴とするベッド装置。
【請求項２】
前記昇降機構の可動部の上面部の１点にての支持は、前記昇降機構の可動部の上面部に形成されたピンと、前記可動部を収容すべく前記ヘッドボードに形成された凹部の内周に形成された穴との間の凹凸嵌合である、請求項１記載のベッド装置。
【請求項３】
前記ベッド本体部のヘッド側の幅方向に離れた２点にての支持は、前記ヘッドボードの下側の前記ベッド本体部への着座及び前記着座後の前記ヘッドボードの前記ベッド本体部への螺着である、請求項１記載のベッド装置。
【請求項４】
前記ベッド本体部のヘッド側の幅方向に離れた２点にての支持は、前記ヘッドボードの下側の前記ベッド本体部への着座及び前記着座後の前記ヘッドボードの前記ベッド本体部への螺着である、請求項３記載のベッド装置。
【請求項５】
前記昇降機構の可動部の上面部の１点にての支持は、前記昇降機構の可動部の上面部に形成されたピンと、前記可動部を収容すべく前記ヘッドボードに形成された凹部の内周に形成された穴との間の凹凸嵌合であり、前記ベッド本体部のヘッド側の幅方向に離れた２点にての支持は、前記ヘッドボードの下側の前記ベッド本体部への着座及び前記着座後の前記ヘッドボードの前記ベッド本体部への螺着であり、前記凹凸嵌合と前記着座とは略同時になされる、請求項１記載のベッド装置。
【請求項６】
前記凹凸嵌合と前記着座とは、前記ヘッドボードを、前記昇降機構の可動部のフット側に沿って下降させることによりなされる、請求項５記載のベッド装置。
【請求項７】
前記穴の底面は、前記ヘッドボードの延在方向に沿って円弧状をなす、請求項２記載のベッド装置。
【請求項８】
前記穴の開口部は、前記ヘッドボードの延在方向に直線状の溝をなす、請求項７記載のベッド装置。
【請求項９】
ベッド本体部のヘッド側が昇降機構により床面に対して垂直移動するベッド装置において、前記昇降機構の可動部の上面部の１点並びに前記ベッド本体部のヘッド側及び前記昇降機構の可動部の下側に固定された部材の幅方向に離れた２点にて支持されるヘッドボードを配設したことを特徴とするベッド装置。
【請求項１０】
前記昇降機構の可動部の上面部の１点にての支持は、前記昇降機構の可動部の上面部に形成されたピンと、前記可動部を収容すべく前記ヘッドボードに形成された凹部の内周に形成された穴との間の凹凸嵌合である、請求項９記載のベッド装置。
【請求項１１】
前記部材の幅方向に離れた２点にての支持は、前記部材のフランジ部への螺着である、請求項９記載のベッド装置。
【請求項１２】
前記部材の幅方向に離れた２点にての支持は、前記ヘッドボードの下側の前記部材の平面部への着座及び前記着座後の前記部材のフランジ部への螺着である、請求項９記載のベッド装置。
【請求項１３】
前記昇降機構の可動部の上面部の１点にての支持は、前記昇降機構の可動部の上面部に形成されたピンと、前記可動部を収容すべく前記ヘッドボードに形成された凹部の内周に形成された穴との間の凹凸嵌合であり、前記部材の幅方向に離れた２点にての支持は、前記部材の平面部への着座及び前記着座後の前記ヘッドボードの前記部材への螺着であり、前記凹凸嵌合と前記着座とは略同時になされる、請求項９記載のベッド装置。
【請求項１４】
前記凹凸嵌合と前記着座とは、前記ヘッドボードを、前記昇降機構の可動部のフット側に沿って下降させることによりなされる、請求項１３記載のベッド装置。
【請求項１５】
前記穴の底面は、前記ヘッドボードの延在方向に沿って円弧状をなす、請求項１０記載のベッド装置。
【請求項１６】
前記穴の開口部は、前記ヘッドボードの延在方向に直線状の溝をなす、請求項１５記載のベッド装置。
【請求項１７】
前記ヘッドボードは、前記昇降機構の可動部を内包するボックスであって、前記ボックスには、上側からアクセス可能な収納空間が形成されたことを特徴とする、請求項１記載のベッド装置。
【請求項１８】
前記収納空間は、水平方向に移動するスライド扉により開閉可能とされる、請求項１７記載のベッド装置。
【発明の詳細な説明】
【技術分野】
【０００１】
本発明は、ベッド装置に関し、特にベッド本体部のヘッド側が昇降機構により床面に対して垂直移動するベッド装置に関する。
【背景技術】
【０００２】
従来から、使用者のベッドからの乗り降りを容易とするため、ベッド本体部の全体を昇降機構により上下に昇降させるベッド装置が提供される（特許文献１）。かようなベッド装置においては、昇降装置のフット側が、全体として、ヘッドボードの機能を営むことになる。
【特許文献１】特開２００１−４６１７９号公報
【発明の開示】
【発明が解決しようとする課題】
【０００３】
特許文献１に開示されたベッド装置においては、昇降装置のフット側が、全体として、ヘッドボードの機能を営むことになるが、この場合、ヘッドボードの表面の色が、昇降装置のフット側の地色に限定される。他方、近年、ヘッドボードは、色彩の多様性や通話装置その他の機器の組み込み要請が多いが、昇降装置のフット側をヘッドボードの機能を営ませることは、この要請の応えることは出来ない。
【０００４】
それ故に、本発明は、ベッド本体部のヘッド側が昇降機構により床面に対して垂直移動するベッド装置において、ヘッドボードの仕様の独立性を高めることを、その技術的課題とする。
【課題を解決するための手段】
【０００５】
上記の課題を解決するために講じた技術的手段は、請求項１に記載のように、
「ベッド本体部のヘッド側が昇降機構により床面に対して垂直移動するベッド装置において、前記昇降機構の可動部の上面部の１点並びに前記ベッド本体部のヘッド側の幅方向に離れた２点にて支持されるヘッドボードを配設したことを特徴とするベッド装置。」
を構成したことである。
【発明の効果】
【０００６】
本発明のヘッドボードは、昇降機構の可動部の上面部、ベッド本体部の幅方向の一側部及びベッド本体部の幅方向の他側部に支持されるので、ヘッドボードは昇降機構とは独立的に構成でき、色彩の変更や機器の追加を容易に行える。
【発明を実施するための最良の形態】
【０００７】
以下、本発明のベッド装置を具体化した一実施の形態を、図面を参照して詳細に説明する。
【０００８】
図１〜図６において、ベッド装置１０は、ヘッド側及びフット側に、夫々、第１昇降装置２０及び第２昇降装置３０を備える。第１昇降装置２０（第２昇降装置３０）は、床面Ｆに載置されるベース部２１（３１）と、ベース部２１（３１）に一体化されて上方に円延出する固定部２２（３２）と、固定部２２（３２）上に配設されて固定部２２（３２）に内蔵された駆動機構（図示略）に固定部２２（３２）に沿って上下動する可動部２３（３３）とを備える。第１昇降装置２０の固定部２２に内蔵された駆動機構と第２昇降装置３０の固定部３２に内蔵された駆動機構とが図示されない制御装置により作動されたとき、第１昇降装置２０の可動部２３及び第２昇降装置３０の可動部２３に固定されたベッド本体部４０が、床面Ｆと平行を保ちながら、上下動する。
【０００９】
ベッド本体部４０は、一対の平行なビーム４１Ａ・４１Ｂを備える。ビーム４１Ａ・４１Ｂのヘッド側は、第１昇降装置２０の可動部２３の幅方向の一側部及び他側に固定される。すなわち、ビーム４１Ａ・４１Ｂのヘッド側は、幅方向に延在する横桟４７により連結されており、この横桟４７が、一対のボルト４８・４８により、第１昇降装置２０の可動部２３に対して、堅牢に固定される。
【００１０】
ビーム４１・４１のフット側は、同様な構造にて、第２昇降装置３０の可動部３３の幅方向の一側部及び他側に固定される。しかして、ビーム４１Ａ（４１Ｂ）のヘッド側の端部には、床面Ｆと略平行をなす平面部４４Ａ（４４Ｂ）及び外方向に延在するフランジ４５Ａ（４５Ｂ）が形成され、フランジ４５Ａ（４５Ｂ）には孔４６Ａ（４６Ｂ）が穿設される。
【００１１】
ビーム４１・４１上には、ボトム部４２が装着される。しかしてボトム部４２は、樹脂製の短冊状のプレート４３を、第２昇降装置３０の可動部３３の幅方向に沿って、所定の枚数が、配列することにより、形成される。ヘッド側の複数のプレート４３は、例えば特開２００５−１１８０８６号公報に開示されているように、リクライニング機構の作動により、起立されて、ビーム４１Ａ・４１Ｂに対して、所定の角度をなす。ボトム部４２上にはマットレス５０が載置される。
【００１２】
第１昇降機構２０の可動部２３のフット側（第２昇降機構３０の可動部３３のヘッド側）には、ヘッドボード６０（フットボード７０）が設けられる。ヘッドボード６０及びフットボード７０の設置形態は、対象部材が異なるだけなので、以下においては、ヘッドボード６０についてのみ説明する。
【００１３】
ヘッドボード６０は、図５において特に明瞭に示されるように、第１昇降機構２０の可動部２３の一部を収容する凹部６１を持つ。凹部６１の上側の内周部には竪穴６２が形成されている。ヘッドボード６０を、第１昇降機構２０の可動部２３に沿って下降させて行くと、ヘッドボード６０の上側に位置する竪穴６２が、第１昇降機構２０の可動部２３の上面に突出するピン２９に係合すると同時に、ヘッドボード６１の底面が、ビーム４１Ａの平面部４４Ａ及びビーム４１Ｂの平面部４４Ｂに着座する。この状態を維持した状態で、フランジ４５Ａ（４５Ｂ）の孔４６Ａ（４６Ｂ）にネジ６４Ａ（６４Ｂ）を挿通すれば、ネジ６４Ａ（６４Ｂ）がヘッドボード６１の下側のナット部６５Ａ（６５Ｂ）に螺着される。これにより、ヘッドボード６１の下部が、一対のビーム４１Ａ・４１Ｂに対し、堅牢ではあるが容易に着脱自在に固定される。
【００１４】
しかして、竪穴６２は、図示されるところから明らかなように、底面は、ヘッドボード６０の延在方向（幅方向）に沿って円弧状をなすと共に、竪穴６２の開口部は、ヘッドボード６０の延在方向に直線状をなしている。かような構造を採用することにより、フランジ４５Ａ（４５Ｂ）の孔４６Ａ（４６Ｂ）とヘッドボード６１の下側のナット部６５Ａ（６５Ｂ）との間の芯合わせを容易にすると共に、ヘッドボード６０のベッド本体部の長手方向（ヘッド側とフット側とを結ぶ方向）のガタをなくしている。
【００１５】
かように、ヘッドボード６１は、直接及び一対のビーム４１Ａ・４１Ｂを介して間接的に第１昇降機構２０の可動部２３に対して堅牢ではあるが容易に着脱自在に固定されるので、第１昇降機構２０の可動部２３の物理的状況（色彩・大きさ等）とは関係なく、着色やオプション装置の設置を行うことが出来、実用上、多大な効果を奏する。
【００１６】
尚、上記した構成において、次のような変形例を構成することも可能である。すなわち、一対のボルト４８・４８により、第１昇降装置２０の可動部２３に対して、堅牢に固定される横桟４７を、平面部４４Ａ及び平面部４４Ｂ並びにフランジ４５Ａ及びフランジ４５Ｂと一体的に形成し、図示しない手段で、ビーム４１・４１のヘッド側を、横桟４７に連結しても良い。つまり、ヘッドボード６０を第１昇降装置２０側にて３点支持して、このヘッドボード６０及びベッド本体部４０が同期して、第１昇降装置２０により昇降させるようにしても良い。
【００１７】
図７〜図１０を参照して、第２の形態のヘッドボード８０について説明する。以下の説明においては、前記した部材と共通のものについては、共通の符番を付し、その説明を省略する。しかして、第２の形態のヘッドボード８０は、以下に詳細に説明するように、昇降機構の可動部を内包するボックス形状に構成されており、ボックス形状のヘッドボード８０内部には、上側からアクセス可能な収納空間１０１・１０２が形成されたことを特徴とするものである。
【００１８】
ヘッドボード８０は、ベッド本体部（図示略）に固定される前方パネル８１と、後方パネル８２と、双方のパネル８１・８２との間に介設され、上下方向に延在する４枚の中間パネル８３・８４・８５・８６とを備える。４枚の中間パネル８３・８４・８５・８６の前方パネル８１（後方パネル８２）寄りの上面には、レール部材８７（８８）が固定されている。中間パネル８３・８４（８５・８６）間の空間は、平板連結パネル９１（９２）により上下方向に分割されており、上側の空間は、平板連結パネル９１（９２）を底板とする収納空間１０１（１０２）とされる。
【００１９】
レール部材８７・８８の上には、収納空間１０１（１０２）の上方開口１０１Ａ（１０２Ａ）を開閉するスライド扉１０５（１０６）が移動可能に設けられている。図８の状態では収納空間１０１（１０２）の上方開口１０１Ａ（１０２Ａ）はスライド扉１０５（１０６）により、閉鎖されているが、スライド扉１０５（１０６）が図８の右方向（左方向）にスライド移動されると、収納空間１０１（１０２）の上方開口１０１Ａ（１０２Ａ）が開放される。スライド扉１０５（１０６）の、図８における右方向（左方向）へのスライド移動は、中間平板連結パネル１０７の下面に固定されるストッパ１０８により規制される。
【００２０】
中間平板連結パネル１０７は、中間パネル８４・８５間に画成される空間１１０の上側に位置しており、前方パネル８１と後方パネル８２とを連結している。空間１１０の内部には、第１昇降装置２０の可動部２３が収容されており、この可動部２３は、図示されない手段により、前方パネル８１に固定されている。これにより、第１昇降装置２０の可動部２３の昇降に伴い、ヘッドボード８０も昇降する。
【００２１】
上記したように、ヘッドボード８０には、上側からアクセス可能な収納空間１０１・１０２を設けたので、小物その他のアイテム等の収納に至便で、実用上、多大な効果を奏する。しかして、上側からアクセス可能な収納空間１０１・１０２は、ヘッドボード８０をして大１昇降機構装置２０の可動部２３を内包せしめたときに必然的にヘッドボード８０内に画成される空間を有効活用するものであって、ヘッドボード８０に対して別途、収納手段を形成する必要がない。
【図面の簡単な説明】
【００２２】
【図１】本発明の一実施の形態に係るベッド装置の、使用時の、側面図である。
【図２】図１のベッド装置の平面図である。
【図３】図１のＡ方向矢視図である。
【図４】図１のベッド装置における、ベッド本体部と昇降装置の可動部との連結状態を説明する図である。
【図５】図１のベッド装置に採用される、第１形態のヘッドボードの単体裏面図である。
【図６】図１のベッド装置における、第１形態のヘッドボードと昇降装置の可動部との連結状態を説明する図である。
【図７】図１のベッド装置に採用される、第２形態のヘッドボードの単体上面図である。
【図８】昇降装置の可動部との連結された時の、第２形態のヘッドボードの内部構造を示す図である。
【図９】第２形態のヘッドボードの外パネルを、ベッド側から見たときの図である。
【図１０】第２形態のヘッドボードの単体側面である。
【符号の説明】
【００２３】
１０：ベッド装置
２０：昇降機構
２３：昇降機構の可動部
３７：横桟（部材）
４０：ベッド本体部
６０：ヘッドボード（第１形態のヘッドボード）
８０：ヘッドボード（第２形態のヘッドボード）
【図１】
2007111506.tif 000003
【図２】
2007111506.tif 000004
【図３】
2007111506.tif 000005
【図４】
2007111506.tif 000006
【図５】
2007111506.tif 000007
【図６】
2007111506.tif 000008
【図７】
2007111506.tif 000009
【図８】
2007111506.tif 000010
【図９】
2007111506.tif 000011
【図１０】
2007111506.tif 000012